(57)【特許請求の範囲】
【請求項１】
無線通信の範囲を第一の通信範囲から前記第一の通信範囲より狭い第二の通信範囲に設定する設定手段と、
前記第一の通信範囲において他の機器とデータ通信をおこなうデータ通信手段と、
前記第二の通信範囲において他の機器と相互に認証をおこなう認証手段と、
を具備する第一の機器と第二の機器から構成される相互認証システムであって、
前記設定手段により通信範囲を前記第二の通信範囲に設定された前記第一の機器と前記第二の機器の位置が、それぞれ互いの前記第二の通信範囲内であるときに、前記認証手段により自動的に相互認証を行うようにしたことを特徴とする無線機器の相互認証システム。
【請求項２】
前記機器は、携帯型の機器であることを特徴とする請求項１に記載の無線機器の相互認証システム。
【請求項３】
前記設定手段による設定は、機器に備えてある認証ボタンをオンして行うことを特徴とする請求項１に記載の無線機器の相互認証システム。
【請求項４】
前記設定手段は、前記機器の送信出力を下げることで通信範囲を前記第一の通信範囲から前記第二の通信範囲に設定するようにしたことを特徴とする請求項１に記載の無線機器の相互認証システム。
【請求項５】
前記設定手段は、前記機器の受信感度を下げることで通信範囲を前記第一の通信範囲から前記第二の通信範囲に設定するようにしたことを特徴とする請求項１に記載の無線機器の相互認証システム。
【請求項６】
他の機器と近距離の無線を行う第一の機器と第二の機器とが、相互に認証をおこなうような無線機器の相互認証方法において、
前記第一の機器の通信範囲を第一の通信範囲から前記第一の通信範囲より狭い第二の通信範囲に設定し、
前記第二の機器の通信範囲を第一の通信範囲から前記第一の通信範囲より狭い第二の通信範囲に設定し、
前記第一の機器と前記第二の機器を接近させ、
前記第二の機器が前記第一の機器の前記第二の通信範囲内に位置し、かつ前記第一の機器が前記第二の機器の前記第二の通信範囲内に位置するときに自動的に相互認証を行うようにしたことを特徴とする無線機器の相互認証方法。
【請求項７】
前記機器は、携帯型の機器であることを特徴とする請求項６に記載の無線機器の相互認証方法。
【請求項８】
前記設定手段による設定は、機器に備えてある認証ボタンをオンして行うことを特徴とする請求項６に記載の無線機器の相互認証方法。
【請求項９】
前記設定手段は、前記機器の送信出力を下げることで通信範囲を前記第一の通信範囲から前記第二の通信範囲に設定するようにしたことを特徴とする請求項６に記載の無線機器の相互認証方法。
【請求項１０】
前記設定手段は、前記機器の受信感度を下げることで通信範囲を第一の通信範囲から前記第二の通信範囲に設定するようにしたことを特徴とする請求項６に記載の無線機器の相互認証方法。
【請求項１１】
無線通信の範囲を第一の通信範囲から前記第一の通信範囲より狭い第二の通信範囲に設定する設定手段と、
前記第一の通信範囲において他の機器とデータ通信をおこなうデータ通信手段と、
前記第二の通信範囲において他の機器と相互に認証をおこなう認証手段と、
を具備する第一の機器と第二の機器から構成され、
前記設定手段により通信範囲を前記第二の通信範囲に設定された前記第一の機器と前記第二の機器の位置が、それぞれ互いの前記第二の通信範囲内であるときに、前記認証手段により自動的に相互認証を行うようにしたことを特徴とする無線機器。
【請求項１２】
前記機器は、携帯型の機器であることを特徴とする請求項１１に記載の無線機器。
【請求項１３】
前記設定手段による設定は、機器に備えてある認証ボタンをオンして行うことを特徴とする請求項１１に記載の無線機器。
【請求項１４】
前記設定手段は、前記機器の送信出力を下げることで通信範囲を前記第一の通信範囲から前記第二の通信範囲に設定するようにしたことを特徴とする請求項１１に記載の無線機器。
【請求項１５】
前記設定手段は、前記機器の受信感度を下げることで通信範囲を前記第一の通信範囲から前記第二の通信範囲に設定するようにしたことを特徴とする請求項１１に記載の無線機器。
【発明の詳細な説明】
【０００１】
【発明の属する技術分野】
本発明は、無線機器の相互認証システム及び無線機器の相互認証方法並びに無線機器に関する。詳しくは、例えば、ブルーツース（Ｂｌｕｅｔｏｏｔｈ）のような近距離の無線によるデータ通信手段を有する機器において、簡単に互いに認証できる機能を備えた無線機器の相互認証システム及び無線機器の相互認証方法並びに無線機器に関する。
【０００２】
【従来の技術】
従来技術における携帯機器の一般的な認証の手続きは、基地局と複数の携帯電話器等の携帯機器とから構成され、各携帯機器の認証は基地局に問い合わせて行うものが周知である。その認証には予め設定されているＩＤ番号、パスワード等のデータを入力し、データベース等に蓄積されているデータと検証して一致、不一致を認証するようにしている。
【０００３】
【発明が解決しようとする課題】
しかしながら、従来技術で説明したように、ＩＤ番号、パスワード等を入力する際の番号自体が文字や数字と混在して且つ長くなっているため、その入力作業が煩雑になっているという問題がある。又、無線において一般的な相互認証といった使用方法は今後多くなる傾向にあり、このときの認証手続きが複雑になるに伴い、ユーザインターフェースも複雑になってきているという問題がある。
【０００４】
従って、近距離無線機器、特に携帯機器において相互に認証する際に、簡単に認証できる手法及び構成に解決しなければならない課題を有する。
【０００５】
【課題を解決するための手段】
上記課題を解決するため、本発明に係る無線機器の相互認証システム及び無線機器の相互認証方法並びに無線機器は、次のような方法及び構成にすることである。
【０００６】
（１）無線機器の相互認証システムは、無線通信の範囲を第一の通信範囲から前記第一の通信範囲より狭い第二の通信範囲に設定する設定手段と、前記第一の通信範囲において他の機器とデータ通信をおこなうデータ通信手段と、前記第二の通信範囲において他の機器と相互に認証をおこなう認証手段と、を具備する第一の機器と第二の機器から構成される相互認証システムであって、前記設定手段により通信範囲を前記第二の通信範囲に設定された前記第一の機器と前記第二の機器の位置が、それぞれ互いの前記第二の通信範囲内であるときに、前記認証手段により自動的に相互認証を行うようにしたことである。
（２）前記機器は、携帯型の機器であることを特徴とする（１）に記載の無線機器の相互認証システム。
（３）前記設定手段による設定は、機器に備えてある認証ボタンをオンして行うことを特徴とする（１）に記載の無線機器の相互認証システム。
（４）前記設定手段は、前記機器の送信出力を下げることで通信範囲を前記第一の通信範囲から前記第二の通信範囲に設定するようにしたことを特徴とする（１）に記載の無線機器の相互認証システム。
（５）前記設定手段は、前記機器の受信感度を下げることで通信範囲を前記第一の通信範囲から前記第二の通信範囲に設定するようにしたことを特徴とする（１）に記載の無線機器の相互認証システム。
（６）無線機器の相互認証方法は、他の機器と近距離の無線を行う第一の機器と第二の機器とが、相互に認証をおこなうような無線機器の相互認証方法において、前記第一の機器の通信範囲を第一の通信範囲から前記第一の通信範囲より狭い第二の通信範囲に設定し、前記第二の機器の通信範囲を第一の通信範囲から前記第一の通信範囲より狭い第二の通信範囲に設定し、前記第一の機器と前記第二の機器を接近させ、前記第二の機器が前記第一の機器の前記第二の通信範囲内に位置し、かつ前記第一の機器が前記第二の機器の前記第二の通信範囲内に位置するときに自動的に相互認証を行うようにしたことである。
（７）前記機器は、携帯型の機器であることを特徴とする（６）に記載の無線機器の相互認証方法。
（８）前記設定手段による設定は、機器に備えてある認証ボタンをオンして行うことを特徴とする（６）に記載の無線機器の相互認証方法。
（９）前記設定手段は、前記機器の送信出力を下げることで通信範囲を前記第一の通信範囲から前記第二の通信範囲に設定するようにしたことを特徴とする（６）に記載の無線機器の相互認証方法。
（１０）前記設定手段は、前記機器の受信感度を下げることで通信範囲を第一の通信範囲から前記第二の通信範囲に設定するようにしたことを特徴とする（６）に記載の無線機器の相互認証方法。
【０００７】
（１１）無線機器は、無線通信の範囲を第一の通信範囲から前記第一の通信範囲より狭い第二の通信範囲に設定する設定手段と、前記第一の通信範囲において他の機器とデータ通信をおこなうデータ通信手段と、前記第二の通信範囲において他の機器と相互に認証をおこなう認証手段と、を具備する第一の機器と第二の機器から構成され、前記設定手段により通信範囲を前記第二の通信範囲に設定された前記第一の機器と前記第二の機器の位置が、それぞれ互いの前記第二の通信範囲内であるときに、前記認証手段により自動的に相互認証を行うようにしたことである。
（１２）前記機器は、携帯型の機器であることを特徴とする（１１）に記載の無線機器。
（１３）前記設定手段による設定は、機器に備えてある認証ボタンをオンして行うことを特徴とする（１１）に記載の無線機器。
（１４）前記設定手段は、前記機器の送信出力を下げることで通信範囲を前記第一の通信範囲から前記第二の通信範囲に設定するようにしたことを特徴とする（１１）に記載の無線機器。
（１５）前記設定手段は、前記機器の受信感度を下げることで通信範囲を前記第一の通信範囲から前記第二の通信範囲に設定するようにしたことを特徴とする（１１）に記載の無線機器。
【０００８】
このように、近距離の無線によるデータ通信手段と認証手段とを備えた近距離無線機器、特に携帯型の近距離無線機器が複数存在している状態において、機器同士が発生する電波内に入ったとき、即ち、所定距離近づけることで自動的に或いは使用者が確認して相互の認証を行うようにしたことにより、認証番号等の複雑なデータを入力する作業を軽減できるようになり、操作性を大幅に向上させることができる。
【０００９】
【発明の実施の形態】
次に、本発明に係る無線機器の相互認証システム及び無線機器の相互認証方法並びに無線機器の実施の形態を図面を参照して説明する。
【００１０】
本発明の第１の実施形態の無線機器の相互認証システム及び近距離無線機器の認証方法を具現化する近距離無線機器は、図１に示すように、携帯電話器等の携帯型の機器である端末機器により構成されており、近距離の無線による通信をするデータ通信手段を形成する近距離データ通信部１１０と、認証モードのときに近距離データ通信部１１０で受信したデータを解読して認証することができる認証手段である認証部１２０と、認証モードを形成する認証ボタン１３０と、認証ボタン１３０をオンしたときに無線出力を減衰させて無線範囲を狭くする無線出力減衰部１４０とから構成されている。
【００１１】
このような構成における端末機器における動作について図１を参照して、図２に示すフローチャートに基いて説明する。
【００１２】
先ず、認証ボタン１３０がオフの場合には、データ通信モードになっており、通常の通信が行われる（ステップＳＴ１１０、ＳＴ１２０、ＳＴ１３０）。即ち、図３に示すように、端末機器Ａは通常状態にあり、送信出力もある程度の距離（図３においてＷ１の範囲）までカバーできる出力となっている。
【００１３】
認証ボタン１３０がオンされると認証モードに入り、送信出力が下がり、出力されている電波の範囲が極めて狭くなり、例えば、機器同士が近接した状態にならないと受信又は交信できない範囲に設定する（ステップＳＴ１１０、ＳＴ１４０、ＳＴ１５０）。そして、機器同士が発生する電波の範囲内に入ること、即ち、機器同士が近接した状態になると相互に認証が行うことができる（ステップＳＴ１６０）。即ち、図４に示すように、端末機器Ａにある認証ボタン１３０（図３参照）を押すことにより、端末機器Ａは認証モードに入る。このときの送信出力はかなり低く抑えられ、通信距離（図４においてＷ２の範囲）としては非常に近づかないと通信できない状態の距離になる。同じく認証ボタン１３０が押され通信距離Ｗ３の範囲の端末機器Ｂが、端末機器Ａと認証するために近づく。
【００１４】
そして、図５に示すように、端末機器Ａ、端末機器Ｂが相互に通信できる距離（通信距離Ｗ４、Ｗ５）まで接近したところで自動的に又は使用者が確認して相互認証が行われる。
【００１５】
ここで、実施例の場合は、端末機器Ａ、Ｂが互いに送信出力が低下した状態での相互認証する構成になっているが、これに限定されることなく、特定の機器のみの送信出力を低下させるようにしてもよいことは勿論のことである。
【００１６】
このようにして、認証モードの場合には、出力する電波の範囲を機器同士が近接した状態で受信できるぐらいに狭くすることにより、多数の機器同士の相互認証を防止することができ、略１対１の関係での相互認証を行うことが可能になる。
【００１７】
次に、本発明の第２の実施形態の無線機器の相互認証システム及び近距離無線機器の認証方法並びに近距離無線機器について図面を参照して説明する。
【００１８】
本発明の第２の実施形態の無線機器の相互認証システム及び近距離無線機器の認証方法を具現化する近距離無線機器は、図６に示すように、上記の第１の実施形態で説明したものと同様に携帯電話器等の携帯型の機器である端末機器により構成されており、近距離の無線による通信をするデータ通信手段を形成する近距離データ通信部１１０と、認証モードのときに近距離データ通信部１１０で受信したデータを解読して認証することができる認証手段である認証部１２０と、認証モードを形成する認証ボタン１３０と、認証ボタン１３０をオンしたときに受信感度を減衰させて通信距離を短くする受信感度減衰部１５０とから構成されている。
【００１９】
このような構成における端末機器における動作について図６を参照して、図７に示すフローチャートに基いて説明する。
【００２０】
先ず、認証ボタン１３０がオフの場合には、データ通信モードになっており、通常の通信が行われる（ステップＳＴ２１０、ＳＴ２２０、ＳＴ２３０）。即ち、図８に示すように、端末機器Ａは通常状態にあり、送信出力もある程度の距離（図８においてＷ６の範囲）までカバーできる出力となっている。
【００２１】
認証ボタン１３０がオンされると認証モードに入り、受信感度が下がることにより、通信距離が極めて狭くなり、例えば、機器同士が近接した状態にならないと受信又は交信できない範囲に設定する（ステップＳＴ２１０、ＳＴ２４０、ＳＴ２５０）。そして、機器同士が発生する電波の範囲内に入り、通信できる距離になること、即ち、機器同士が近接した状態になると相互に認証を行うことができる（ステップＳＴ１６０）。即ち、図８（Ｂ）に示すように、端末機器Ａにある認証ボタン１３０を押すことにより、端末機器Ａは認証モードに入る。このとき、受信感度が下げられ、通信距離（図８（Ｂ）においてＷ７の範囲）としては非常に近づかないと通信できない状態になる。同じく、認証ボタン１３０が押され通信距離Ｗ８の範囲の端末機器Ｂが、端末機器Ａと認証するために近づく。
【００２２】
そして、図８（Ｃ）に示すように、端末機器Ａ、端末機器Ｂが相互に通信できる距離（通信距離Ｗ９、Ｗ１０）まで接近したところで自動的に或いは使用者が確認して相互認証が行われる。
【００２３】
ここで、実施例の場合は、端末機器Ａ、Ｂが互いに受信感度を下げた状態での相互認証する構成になっているが、これに限定されることなく、特定の機器のみの受信感度を低下させるようにしてもよいことは勿論のことである。
【００２４】
図９〜図１１は、特定の端末機器（実施例の場合、端末機器Ａ）の受信感度を下げた状態での相互認証することを示したものであり、先ず，図９に示すように、端末機器Ａは通常状態にあり、送信出力もある程度の距離（図９においてＷ１１の範囲）までカバーできる出力となっている。
【００２５】
この状態で、図１０に示すように、端末機器Ａの認証ボタン１３０をオンすると、端末機器Ａは認証モードに入る。この時の受信感度は低く抑えられ（図１０において通信可能な範囲Ｗ１２）、通信距離が短くなり、端末機器同士を極めて近くに近づけないと通信できない状態となる。
【００２６】
そして、通常の通信距離（図１０において通信可能な範囲Ｗ１３）を有する端末機器Ｂが端末機器Ａに近づいていき、図１１に示すように、通信距離が狭い通信範囲Ｗ１２を有する端末機器Ａの範囲に通信範囲Ｗ１３を有する端末機器Ｂが近づき受信可能な範囲まで近づいたときに自動的に或いは使用者が確認して相互認証が行われる。
又、このとき端末機器Ａ、Ｂが隣接した状態であるときに、端末機器Ｃの通信範囲Ｗ１４は、端末機器Ａ、Ｂから外れた通信範囲になっているため、認証は行われない。
【００２７】
このようにして、認証モードの場合には、出力する電波の範囲を機器同士が近接した状態で受信できるぐらいに狭くすることにより、多数の機器同士の相互認証を防止することができ、略１対１の関係での相互認証を行うことが可能になるのである。
【００２８】
又、第１の実施形態においては、送信出力を下げるようにし、第２の実施形態においては受信感度を下げるようにして相互認証を行うようにしたが、両者の機能を持たせた端末機器にして、認証させるようにしてもよいことは勿論のことである。
【００２９】
【発明の効果】
以上説明したように、本発明に係る無線機器の相互認証システム及び近距離無線機器の認証方法並びに近距離無線機器は、認証モードにしたときに、互いに機器が接近した状態で自動的に或いは使用者が確認して認証するようにしたことにより、認証するためのデータ入力の作業を省略することができ、操作性を向上させると共に特別なユーザインターフェースが充実していなくとも相互認証を行うことができるという効果がある。
【図面の簡単な説明】
【図１】  本発明に係る第１の実施形態の機器である端末機器の構成を示したブロック図である。
【図２】  同動作を示したフローチャートである。
【図３】  同データ通信モードのときの電波の範囲を示した説明図である。
【図４】  同認証モードのときの電波の範囲を示した説明図である。
【図５】  同認証モードのときの機器同士の相互認証を示した説明図である。
【図６】  本発明に係る第２の実施形態の機器である端末機器の構成を示したブロック図である。
【図７】  同動作を示したフローチャートである。
【図８】  同認識モードのときの受信感度を下げての認証の状態を示した説明図である。
【図９】  同データ通信モードのときの電波の範囲を示した説明図である。
【図１０】  同特定の端末機器を認証モードにして受信感度を下げての認証を示した説明図である。
【図１１】  同認証モードのときの機器同士の相互認証を示した説明図である。
【符号の説明】
１１０；近距離データ通信部、１２０；認証部、１３０；認証ボタン、１４０；無線出力減衰部、１５０；受信感度減衰部
【図１】
0003669293.tif 000002
【図２】
0003669293.tif 000003
【図３】
0003669293.tif 000004
【図４】
0003669293.tif 000005
【図５】
0003669293.tif 000006
【図６】
0003669293.tif 000007
【図７】
0003669293.tif 000008
【図８】
0003669293.tif 000009
【図９】
0003669293.tif 000010
【図１０】
0003669293.tif 000011
【図１１】
0003669293.tif 000012